(57)【要約】【課題】従来の発明では、停車中に緊急警報放送を受信した場合には緊急警報放送の映像に切換え、走行中であれば映像を切換えなかった。放送受信機に運転席用と後席用の２つのモニターが接続された場合には、走行中でも後席用モニターは緊急警報放送映像に切換えるべきであるが切り替わらない問題がある。【解決手段】接続されているモニターが運転者用であるか否かを識別し、非運転者用モニターである場合には走行中であっても緊急警報放送の映像に切換える。【選択図】図１
2007201590.tif 000002
【特許請求の範囲】
【請求項１】
緊急警報放送を受信可能な放送受信装置と、
前記放送受信装置から出力される映像または前記放送受信装置以外から出力される映像を出力するモニター装置と、
前記モニター装置が運転者用であるか非運転者用であるかを識別する接続モニター識別手段と、
前記モニター装置に入力される映像を選択する切換制御手段を有する切換制御装置を備える車載用映像装置であって、
前記切換制御装置は前記放送受信装置が緊急警報放送を受信した場合には、前記接続モニター識別手段の識別結果に応じて非運転者用のモニター装置の入力映像だけを前記放送受信装置の映像となるように選択することを特徴とする車載用映像装置。
【発明の詳細な説明】
【技術分野】
【０００１】
本発明は、緊急警報放送を受信可能な放送受信装置と複数の入力映像から選択して映像を出力するモニターを備え、緊急警報放送を受信した場合に映像の切換を行う車載用映像装置に関するものである。
【背景技術】
【０００２】
アナログＴＶ放送や衛星デジタル放送や地上波デジタル放送では災害発生時などに起動制御信号などによって受信機が強制的に緊急警報放送を視聴できるようにする仕組みが運用されている。緊急警報放送は重要な災害情報を伝えるものであり、緊急警報放送を受信した場合には即座にモニターの映像を緊急警報放送の映像に切換えるべきである。しかし、車載用モニターにおいては走行中に運転席のモニターにＴＶ映像を映すことは運転者の注意をそらすことになり危険であるため、無条件に緊急警報放送の映像に切換えることはできない。
【０００３】
放送受信装置を備える車載用映像音響装置であり、緊急警報放送を受信した場合に、非走行状態で車内に人が居ると推定されるときには緊急警報放送の映像をモニターに映す車載用映像音響装置がある。（例えば、特許文献１参照）。
【特許文献１】特開２００３−３２４３６１号公報
【発明の開示】
【発明が解決しようとする課題】
【０００４】
車載用モニターは運転席だけでなく後部座席にも設置されることがあり、後部座席用のモニターは非運転者用であるため走行中であってもＴＶ映像を映すことは許容される。この場合、後部座席モニターにＤＶＤプレイヤーなどの映像が出力されていても緊急警報放送を受信した場合には緊急警報放送の映像に切換えることが望まれる。従来の発明では、運転者用モニターと非運転者用モニターとを区別していなかった。そのため緊急警報放送を受信した場合に無条件に緊急警報放送の映像に切換える車載用映像装置では走行中でも運転席モニターにＴＶ映像を表示してしまうという問題があり、特許文献１のように非走行状態で車内に人が居ると推定されるときに緊急警報放送の映像に切換える車載用映像装置では後部座席モニターの映像を緊急警報放送に切換えられないという問題があった。
【０００５】
本発明は、接続されているモニターが運転者用であるか否かを識別し、運転者用モニターである場合には走行中には緊急警報放送の映像に切換えず、非運転者用モニターである場合には走行中であっても緊急警報放送の映像に切換えることを可能とすることを目的とする。
【課題を解決するための手段】
【０００６】
前記従来の課題を解決するために、本発明の車載用映像装置は、緊急警報放送を受信可能な放送受信装置と、前記放送受信装置から出力される映像または前記放送受信装置以外から出力される映像を出力するモニター装置と、前記モニター装置が運転者用であるか非運転者用であるかを識別する接続モニター識別手段と、前記モニター装置に入力される映像を選択する切換制御手段を有する切換制御装置を備える車載用映像装置であって、
前記切換制御装置は前記放送受信装置が緊急警報放送を受信した場合には、前記接続モニター識別手段の識別結果に応じて非運転者用のモニター装置の入力映像だけを前記放送受信装置の映像となるように選択することを特徴とする。
【発明の効果】
【０００７】
本発明により、緊急警報放送受信時に運転者用モニターに対しても非運転者用モニターに対しても適切な映像の切換制御を行うことが可能となるためより安全な走行と車内空間を提供することができる。
【発明を実施するための最良の形態】
【０００８】
（実施の形態１）
図１は、本発明の実施の形態１に係る車載用映像装置の構成を示すブロック図である。図１において１は緊急警報放送を受信可能な放送受信装置、２は運転席に設置され、放送受信装置またはナビゲーション装置から入力される映像を出力する運転席モニター、３は後部座席に設置され、放送受信装置またはＤＶＤプレイヤーから入力される映像を出力する後席モニター、４は接続されているモニター装置が運転者用であるかどうかを識別する接続モニター識別手段、５は運転席モニターおよび後席モニターに入力される映像を選択する切換制御手段、６は接続モニター識別手段４と切換制御手段５と運転席モニター２に入力される映像を切換える映像音声セレクタ１と後席モニター３に入力される映像を切換える映像音声セレクタ２とからなる切換制御装置である。
【０００９】
放送受信装置１はアンテナで受信した信号から特定の周波数を取り出し復調し、トランスポートストリームに変換し、このトランスポートストリームからＭＰＥＧ２のビデオストリームおよびオーディオストリームを取り出し、デコードし映像音声として出力する。また、ＴＭＣＣ（ＴｒａｎｓｍｉｓｓｉｏｎａｎｄＭｕｌｔｉｐｌｅｘｉｎｇＣｏｎｆｉｇｕｒａｔｉｏｎＣｏｎｔｒｏｌ）信号の中の緊急警報放送用起動フラグの値およびＰＭＴの中の緊急情報記述子のｓｔａｒｔ＿ｅｎｄ＿ｆｌａｇを常時監視する。緊急警報放送用起動フラグの値が１であり且つｓｔａｒｔ＿ｅｎｄ＿ｆｌａｇの値が１となった場合には緊急警報放送が開始されたと判断し、切換制御装置６に対して通知信号を送るとともに、緊急情報記述子の中のｓｅｒｖｉｃｅ＿ｉｄで示される緊急警報放送サービスへの選局処理を行い、緊急警報放送の映像音声を出力する。
【００１０】
ナビゲーション装置はＧＰＳからの位置情報と内部に保持している地図情報を用いて道路地図上に自車位置を示した映像を出力するとともに、予め入力された目的地までの走行案内を音声または文字図形を映像に重畳することにより、映像音声出力する。また、ナビゲーション装置に対してユーザによる映像音声切換操作が行われた場合には切換制御装置５に対して制御信号を送り、切換制御装置５は運転席モニターの映像音声を放送受信装置から出力される放送映像音声またはナビゲーション装置から出力されるナビゲーション映像音声に切換える。
【００１１】
ＤＶＤプレイヤーはＤＶＤコンテンツのデコード再生を行い映像音声出力する。また、ＤＶＤプレイヤーに対してユーザによる再生開始操作が行われた場合には切換制御手段５に対して制御信号を送り、切換制御装置５は後席モニターの映像を放送受信装置から出力される放送映像音声またはＤＶＤプレイヤーから出力されるＤＶＤ映像音声に切換える。
【００１２】
切換制御装置６には図２のように出力端子ごと設定スイッチが備えられており、接続するモニターの設置場所に合わせて、ユーザが設定スイッチを運転席または後席に設定することとする。モニター識別手段４はこの設定スイッチの値を参照することにより接続されているモニター装置が運転者用であるかどうかを識別する。なお、出力端子ごとの設定は設定画面により設定することや車内用ローカルエリアネットワークを通じて情報を取得することも可能である。
【００１３】
切換制御手段５は車両が走行中か否かの情報をパーキングブレーキ操作状態を用いて検知するものとする。すなわちパーキングブレーキが有効となるように操作されている状態は非走行中と判断する。切換制御手段５は放送受信装置１からの通知信号を検知すると非走行中であれば全ての映像音声セレクタの出力映像を放送受信装置１から出力される放送映像音声に切換える。走行中であれば運転者用モニターが接続されている映像音声セレクタに対してモニター識別手段４を用いて接続されているモニター装置が運転者用であるかどうかを識別し、非運転者用のモニター装置が接続されている映像音声セレクタについてのみ、出力映像を放送受信装置１から出力される放送映像音声に切換える。なお、切換制御装置がモニターと一体となっている構成でもよい。
【００１４】
非走行中に運転席モニターはナビゲーション映像音声を出力しており、後席モニターはＤＶＤ映像音声を出力している状態で、放送受信装置１が緊急警報放送を受信した場合には、放送受信装置１から切換制御手段５に対して緊急警報放送を受信した旨の通知信号が送られる。切換制御手段５はこの通知信号を受信すると映像音声セレクタ１および映像音声セレクタ２の出力映像を放送受信装置１から出力される放送映像音声に切換える。
【００１５】
走行中に運転席モニターはナビゲーション映像音声を出力しており、後席モニターはＤＶＤ映像音声を出力している状態で、放送受信装置１が緊急警報放送を受信した場合には、切換制御手段５は放送受信装置１からの通知信号を受信すると接続モニター識別手段４を用いて映像音声セレクタ１に接続されているモニターが運転者用であるかどうか識別する。本実施例では映像音声セレクタ１は運転者用モニターが接続されているため何も行わない。同様に、切換制御手段５は映像音声セレクタ２に接続されているモニターが運転者用であるかどうか識別する。本実施例では映像音声セレクタ２は非運転者用モニターが接続されているため、切換制御手段５は映像音声セレクタ２の出力映像を放送受信装置１から出力される放送映像音声に切換える。
【産業上の利用可能性】
【００１６】
本発明の車載用映像装置は、接続されているモニター装置が運転者用であるかどうかを識別し、緊急警報放送受信時の運転者用モニター装置に対する映像切換え処理と非運転者用モニター装置に対する映像切換え処理とを異なる処理とすることにより、運転者の運転操作を妨げることなく、非運転者には即時に緊急警報放送の提示を行うことが可能となり、複数のモニター装置を備える車載車載用映像装置や運転席や後部座席などのモニター装置の設置場所が可変である車載車載用映像装置に有用である。
【図面の簡単な説明】
【００１７】
【図１】本発明の実施の形態１における車載用映像装置のブロック図
【図２】本発明の実施の形態１における切換制御装置の出力端子の外観を示す図
【符号の説明】
【００１８】
１    放送受信装置
２    運転席モニター
３    後席モニター
４    接続モニター識別手段
５    切換制御手段
６    切換制御装置
【図１】
2007201590.tif 000003
【図２】
2007201590.tif 000004